(57)【特許請求の範囲】
【請求項１】
複数の接続装置と、複数の接続装置のいずれかと接続して決済に関する決済情報を入力する複数の決済端末と、決済処理サーバとを備える決済処理システムであって、
複数の決済端末のうちの一の決済端末は、
表示部と、
前記決済処理サーバと通信する通信部と、
前記一の決済端末の固有情報と、接続する接続装置の固有情報とを含む接続情報を記憶する記憶部と、
前記記憶部が記憶する前記接続情報を前記決済処理サーバへ送信する送信部と、
他の複数の決済端末と複数の接続装置との接続関係を含む構成データの送信要求に応じて前記決済処理サーバから構成データを受信し、当該受信した構成データに基づいて、複数の決済端末と複数の接続装置との接続関係を前記表示部に表示する表示制御部と、
を備え、
前記決済処理サーバは、
複数の決済端末と通信する通信部と、
複数の決済端末それぞれから受信した前記接続情報に基づいて、構成データを生成する生成部と、
前記生成部が生成した構成データを記憶する記憶部と、
前記記憶部が記憶する構成データを、前記送信要求を行った前記一の決済端末に送信する送信部と、
を備えることを特徴とする決済処理システム。
【請求項２】
前記一の決済端末は、
前記表示制御部が表示する接続関係に基づいて、複数の接続装置のうち、前記一の決済端末が接続する接続装置を選択する選択部
をさらに備えることを特徴とする請求項１に記載の決済処理システム。
【請求項３】
決済端末と接続装置とを接続する複数の無線ルータをさらに備え、
前記接続情報は、さらに、接続する前記無線ルータの固有情報を有し、
構成データは、それぞれの前記無線ルータが構成するネットワーク内に存在する決済端末及び接続装置の接続関係を示し、
前記決済処理サーバの前記送信部は、前記記憶部が記憶する構成データのうち、少なくとも送信先の前記一の決済端末の存在する前記ネットワーク内での他の決済端末と接続装置との接続関係を含む部分を送信する、
ことを特徴とする請求項１または請求項２に記載の決済処理システム。
【請求項４】
複数の接続装置と、複数の接続装置のいずれかと接続して決済に関する決済情報を入力する複数の決済端末と、決済処理サーバとを備える決済処理システムにおける決済処理方法であって、
複数の決済端末のうち一の決済端末が、前記一の決済端末の固有情報と、接続する接続装置の固有情報とを含む接続情報を前記決済処理サーバへ送信する送信過程と、
前記決済処理サーバが、複数の決済端末それぞれから受信した前記接続情報に基づいて、複数の決済端末と複数の接続装置との接続関係を示す構成データを生成して記憶部に記憶する生成過程と、
前記決済処理サーバが、構成データの送信要求を行った前記一の決済端末へ、前記記憶部が記憶する構成データをのうち、他の複数の決済端末と複数の接続装置とを含む構成データを送信する送信過程と、
前記一の決済端末が、前記決済処理サーバから送信された構成データを受信し、当該受信した構成データに基づいて、複数の決済端末と複数の接続装置との接続関係を表示部に表示する表示制御過程と、
を有することを特徴とする決済処理方法。
【請求項５】
複数の接続装置と、複数の接続装置のいずれかと接続して決済に関する決済情報を入力する複数の決済端末と、決済処理サーバとを備える決済処理システムに用いられる決済端末であって、
表示部と、
前記決済処理サーバと通信する通信部と、
自端末の固有情報と、接続する接続装置の固有情報とを含む接続情報を記憶する記憶部と、
前記記憶部が記憶する前記接続情報を前記決済処理サーバへ送信する送信部と、
他の複数の決済端末と複数の接続装置との接続関係を含む構成データの送信要求に応じて前記決済処理サーバから構成データを受信し、当該受信した構成データに基づいて、複数の決済端末と複数の接続装置との接続関係を前記表示部に表示する表示制御部と、
を備えることを特徴とする決済端末。
【請求項６】
複数の接続装置と、複数の接続装置のいずれかと接続して決済に関する決済情報を入力する複数の決済端末と、決済処理サーバとを備える決済処理システムに用いられる決済処理サーバであって、
複数の決済端末と通信する通信部と、
複数の決済端末それぞれから受信した、各決済端末の固有情報と、接続する接続装置の固有情報とを示す接続情報に基づいて、複数の決済端末と複数の接続装置との接続関係を示す構成データを生成する生成部と、
前記生成部が生成した構成データを記憶する記憶部と、
構成データの送信要求を行った一の決済端末へ、前記記憶部が記憶する構成データのうち、他の複数の決済端末と複数の接続装置とを含む構成データを送信する送信部と、
を備えることを特徴とする決済処理サーバ。
【請求項７】
複数の接続装置と、複数の接続装置のいずれかと接続して決済に関する決済情報を入力する複数の決済端末と、決済処理サーバとを備える決済処理システムに用いられる決済端末に、
前記決済処理サーバと通信し、
自端末の固有情報と、接続する接続装置の固有情報とを含む接続情報を記憶し、
記憶する前記接続情報を前記決済処理サーバへ送信し、
他の複数の決済端末と複数の接続装置との接続関係を含む構成データの送信要求に応じて前記決済処理サーバから構成データを受信し、当該受信した構成データに基づいて、複数の決済端末と複数の接続装置との接続関係を表示部に表示する、
処理を実行させることを特徴とするプログラム。
【発明の詳細な説明】
【技術分野】
【０００１】
本発明は、決済処理システム、決済処理方法、決済端末、決済処理サーバ及びプログラムに関する。
【背景技術】
【０００２】
複数の携帯端末と複数の印刷装置とをそれぞれ１対１の関係となるように組み合わせて使用する場合において、誤った組み合わせによる使用を防止する印字システムがある（例えば、特許文献１参照）。このような印字システムは、複数の携帯端末と、複数の印刷装置と、これらとネットワークを介して接続するサーバとを有する。サーバは、携帯端末から組み合わせ確認通知を受信すると、印刷装置からの情報を受信して、印刷装置を特定し、携帯端末に特定した印刷装置の情報を送信する。
【先行技術文献】
【特許文献】
【０００３】
【特許文献１】特開２００５−１１５６７８号公報
【発明の概要】
【発明が解決しようとする課題】
【０００４】
しかしながら、特許文献１に記載の技術では、操作する携帯端末において、その携帯端末に接続する印刷装置（以下、接続装置とする）のみを確認することができ、他の携帯端末と接続装置との接続関係は、他の携帯端末自体を操作してサーバに問い合わせしなければ確認できない。そのため、全体管理を行いたい場合などには、操作が煩雑化してしまうという問題がある。
【０００５】
そこで、本発明は上述の事情を鑑みてなされたものであり、決済端末と接続装置とを組み合わせて使用する決済処理システムにおいて、全体の接続関係を容易に確認することができる決済処理システム、決済処理方法、決済端末、決済処理サーバ及びプログラムを提供することを目的とする。
【課題を解決するための手段】
【０００６】
本発明の幾つかの態様は、複数の接続装置と、複数の接続装置のいずれかと接続して決済に関する決済情報を入力する複数の決済端末と、決済処理サーバとを備える決済処理システムであって、複数の決済端末のうちの一の決済端末は、表示部と、前記決済処理サーバと通信する通信部と、前記一の決済端末の固有情報と、接続する接続装置の固有情報とを含む接続情報を記憶する記憶部と、前記記憶部が記憶する前記接続情報を前記決済処理サーバへ送信する送信部と、他の複数の決済端末と複数の接続装置との接続関係を含む構成データの送信要求に応じて前記決済処理サーバから構成データを受信し、当該受信した構成データに基づいて、複数の決済端末と複数の接続装置との接続関係を前記表示部に表示する表示制御部と、を備え、前記決済処理サーバは、複数の決済端末と通信する通信部と、複数の決済端末それぞれから受信した前記接続情報に基づいて、構成データを生成する生成部と、前記生成部が生成した構成データを記憶する記憶部と、前記記憶部が記憶する構成データを、前記送信要求を行った前記一の決済端末に送信する送信部と、を備えることを特徴とする決済処理システムである。
【０００７】
また、本発明の他の態様の決済処理システムにおいて、前記一の決済端末は、前記表示制御部が表示する接続関係に基づいて、複数の接続装置のうち、前記一の決済端末が接続する接続装置を選択する選択部さらに備えることを特徴とする。
【０００８】
また、本発明の他の態様の決済処理システムにおいて、決済端末と接続装置とを接続する複数の無線ルータをさらに備え、前記接続情報は、さらに、接続する前記無線ルータの固有情報を有し、構成データは、それぞれの前記無線ルータが構成するネットワーク内に存在する決済端末及び接続装置の接続関係を示し、前記決済処理サーバの前記送信部は、前記記憶部が記憶する構成データのうち、少なくとも送信先の前記一の決済端末の存在する前記ネットワーク内での他の決済端末と接続装置との接続関係を含む部分を送信する、ことを特徴とする。
【０００９】
また、本発明の他の態様は、複数の接続装置と、複数の接続装置のいずれかと接続して決済に関する決済情報を入力する複数の決済端末と、決済処理サーバとを備える決済処理システムにおける決済処理方法であって、複数の決済端末のうち一の決済端末が、前記一の決済端末の固有情報と、接続する接続装置の固有情報とを含む接続情報を前記決済処理サーバへ送信する送信過程と、前記決済処理サーバが、複数の決済端末それぞれから受信した前記接続情報に基づいて、複数の決済端末と複数の接続装置との接続関係を示す構成データを生成して記憶部に記憶する生成過程と、前記決済処理サーバが、構成データの送信要求を行った前記一の決済端末へ、前記記憶部が記憶する構成データをのうち、他の複数の決済端末と複数の接続装置とを含む構成データを送信する送信過程と、前記一の決済端末が、前記決済処理サーバから送信された構成データを受信し、当該受信した構成データに基づいて、複数の決済端末と複数の接続装置との接続関係を表示部に表示する表示制御過程と、を有することを特徴とする決済処理方法である。
また、本発明の他の態様は、複数の接続装置と、複数の接続装置のいずれかと接続して決済に関する決済情報を入力する複数の決済端末と、決済処理サーバとを備える決済処理システムに用いられる決済端末であって、表示部と、前記決済処理サーバと通信する通信部と、自端末の固有情報と、接続する接続装置の固有情報とを含む接続情報を記憶する記憶部と、前記記憶部が記憶する前記接続情報を前記決済処理サーバへ送信する送信部と、他の複数の決済端末と複数の接続装置との接続関係を含む構成データの送信要求に応じて前記決済処理サーバから構成データを受信し、当該受信した構成データに基づいて、複数の決済端末と複数の接続装置との接続関係を前記表示部に表示する表示制御部と、を備えることを特徴とする決済端末である。
また、本発明の他の態様は、複数の接続装置と、複数の接続装置のいずれかと接続して決済に関する決済情報を入力する複数の決済端末と、決済処理サーバとを備える決済処理システムに用いられる決済処理サーバであって、複数の決済端末と通信する通信部と、複数の決済端末それぞれから受信した、各決済端末の固有情報と、接続する接続装置の固有情報とを示す接続情報に基づいて、複数の決済端末と複数の接続装置との接続関係を示す構成データを生成する生成部と、前記生成部が生成した構成データを記憶する記憶部と、構成データの送信要求を行った一の決済端末へ、前記記憶部が記憶する構成データのうち、他の複数の決済端末と複数の接続装置とを含む構成データを送信する送信部と、を備えることを特徴とする決済処理サーバである。
また、本発明の他の態様は、複数の接続装置と、複数の接続装置のいずれかと接続して決済に関する決済情報を入力する複数の決済端末と、決済処理サーバとを備える決済処理システムに用いられる決済端末に、前記決済処理サーバと通信し、自端末の固有情報と、接続する接続装置の固有情報とを含む接続情報を記憶し、記憶する前記接続情報を前記決済処理サーバへ送信し、他の複数の決済端末と複数の接続装置との接続関係を含む構成データの送信要求に応じて前記決済処理サーバから構成データを受信し、当該受信した構成データに基づいて、複数の決済端末と複数の接続装置との接続関係を表示部に表示する、処理を実行させることを特徴とするプログラムである。
【発明の効果】
【００１０】
本発明によれば、決済端末は、表示部と、決済処理サーバと通信する通信部と、自装置の固有情報と、接続する接続装置の固有情報とを含む接続情報を記憶する記憶部と、記憶部が記憶する接続情報を決済処理サーバへ送信する送信部と、複数の決済端末と複数の接続装置との接続関係を示す構成データを決済処理サーバから受信し、当該受信した構成データに基づいて、複数の決済端末と複数の接続装置との接続関係を表示部に表示する表示制御部と、を備える。また、決済処理サーバは、決済端末と通信する通信部と、複数の決済端末それぞれから受信した接続情報に基づいて、構成データを生成する生成部と、生成部が生成した構成データを記憶する記憶部と、記憶部が記憶する構成データを決済端末に送信する送信部と、を備える。これにより、操作者は、１台の決済端末を操作することにより、複数ある決済端末と接続装置との接続関係を確認することができる。よって、携帯端末と接続装置とを組み合わせて使用する決済処理システムにおいて、全体の接続関係を容易に確認することができる。
【図面の簡単な説明】
【００１１】
【図１】本発明の第１の実施形態における決済処理システムの全体構成を示す図である。
【図２】第１の実施形態におけるスマートデバイスの構成を示すブロック図である。
【図３】第１の実施形態におけるピンパッドの構成を示すブロック図である。
【図４】第１の実施形態における無線ルータの構成を示すブロック図である。
【図５】第１の実施形態における決済処理サーバの構成を示すブロック図である。
【図６】第１の実施形態における決済処理システムの動作を説明するための図である。
【図７】第１の実施形態による決済処理サーバが記憶するネットワーク構成テーブルのデータ構成及びデータ例を示す概略図である。
【図８】第１の実施形態におけるスマートデバイスが表示するネットワーク構成図の一例を示す図である。
【図９】第１の実施形態による決済処理システムの動作を示すシーケンス図である。
【図１０】第１の実施形態による決済処理システムの動作を示すシーケンス図である。
【図１１】第１の実施形態における決済処理システムの動作を示すシーケンス図である。
【図１２】本発明の第２の実施形態における決済処理システムの全体構成を示す図である。
【図１３】第２の実施形態における決済処理システムの動作を示すシーケンス図である。
【発明を実施するための形態】
【００１２】
以下、本発明の実施形態について、図面を参照しながら説明する。なお、各図において同一部分には同一符号を付している。
【００１３】
［第１の実施形態］
まず、本発明の第１の実施形態について説明する。図１は、本実施形態における決済処理システムＳ１の全体構成を示す図である。決済処理システムＳ１は、クレジットカードやデビットカード、電子マネー等のカードを使って決済処理を行うシステムである。同図に示すように、決済処理システムＳ１は、複数のスマートデバイス１と、複数のピンパッド２と、無線ルータ３と、決済処理サーバ４とを含んでいる。スマートデバイス１とピンパッド２とは、無線ルータ３を介して無線ＬＡＮ（Ｌｏｃａｌ  Ａｒｅａ  Ｎｅｔｗｏｒｋ）により無線通信する。また、スマートデバイス１と決済処理サーバ４とは、無線ルータ３を介してインターネット等の公衆通信網Ｎにより通信する。
【００１４】
なお、同図においては、スマートデバイス１及びピンパッド２を４台ずつ示しているが、これに限らず、スマートデバイス１及びピンパッド２はそれぞれ１台以上あればよい。また、同図においては、スマートデバイス１の台数とピンパッド２の台数とが同一の場合を示しているが、スマートデバイス１の台数とピンパッド２の台数は異なっていてもよい。例えば、ピンパッド２の台数がスマートデバイス１の台数より多くても少なくてもよい。
【００１５】
スマートデバイス１は、決済に関する決済情報を入力する決済端末であり、例えば、スマートフォンやタブレット端末等の携帯端末である。決済情報は、例えば、クレジットやデビットの売上、口座振替の受け付けや取り消し等の業務内容の選択、あるいは、取引金額等の取引内容である。スマートデバイス１は、接続したピンパッド２にカードに関するカード情報を読み取らせ、読み取らせたカード情報と入力された決済情報とを含む決済処理情報を決済処理サーバ４に送信する。スマートデバイス１には、接続するピンパッド２のＩＰ（Ｉｎｔｅｒｎｅｔ  Ｐｒｏｔｏｃｏｌ）アドレスが予め設定されている。
【００１６】
ピンパッド２（接続装置）は、カードからカード情報を読み取るカードリーダである。また、ピンパッド２は、カードの暗証番号の入力を受け付ける。ピンパッド２は、接続したスマートデバイス１からカードの読み取りが指示されると、カードからカード情報を読み取り、読み取ったカード情報を接続したスマートデバイス１に送信する。
【００１７】
無線ルータ３は、無線ＬＡＮのアクセスポイント機能を備え、スマートデバイス１とピンパッド２と決済処理サーバ４との通信を中継する中継装置である。無線ルータ３は、公衆無線通信網を介してデータ通信を行う。１台の無線ルータ３が１つのネットワークを構成する。
【００１８】
決済処理サーバ４は、決済処理システムＳ１を統括して制御するサーバ装置である。決済処理サーバ４は、決済処理情報及びスマートデバイス１の管理をする情報処理センタに設置されている。決済処理サーバ４は、各スマートデバイス１から決済処理情報を受信し、受信した決済処理情報に基づいて決済処理を行う。そして決済処理サーバ４は、当該決済処理の結果をスマートデバイス１に返信する。
【００１９】
次に、スマートデバイス１について説明する。図２は、本実施形態におけるスマートデバイス１の構成を示すブロック図である。図示するように、スマートデバイス１は、制御部１０１と、記憶部１０２と、通信部１０３と、表示部１０４と、入力部１０５と、スピーカ部１０６とを備える。
【００２０】
制御部１０１は、ＣＰＵ（Ｃｅｎｔｒａｌ  Ｐｒｏｃｅｓｓｉｎｇ  Ｕｎｉｔ）を備え、スマートデバイス１全体を制御する。また、制御部１０１は、自装置のＩＰアドレス（固有情報）と、接続するピンパッド２の個体識別番号及びＩＰアドレス（固有情報）と、接続する無線ルータ３のＳＳＩＤ（Ｓｅｒｖｉｃｅ  Ｓｅｔ  Ｉｄｅｎｔｉｆｉｅｒ）（固有情報）とを含む接続情報を、通信部１０３を介して決済処理サーバ４に送信する。また、制御部１０１は、通信部１０３を介して、複数のスマートデバイス１と複数のピンパッド２との接続関係を示すネットワーク構成データを要求するネットワーク構成データ要求を決済処理サーバ４に送信して、ネットワーク構成データを決済処理サーバ４から受信する。そして、制御部１０１は、受信したネットワーク構成データに基づいて、複数のスマートデバイス１と複数のピンパッド２との接続関係を示すネットワーク構成図を生成し、生成したネットワーク構成図を表示部１０４に表示する。また、制御部１０１は、表示部１０４に表示したネットワーク構成図にある複数のピンパッド２のうち、自装置が接続するピンパッド２を選択する選択入力を入力部１０５から受け付ける。制御部１０１は、入力部１０５において選択されたピンパッド２を自装置と接続するピンパッド２に設定する。また、制御部１０１は、自装置の固体識別番号も接続情報に含ませて、通信部１０３を介して決済処理サーバ４に送信してもよい。
【００２１】
記憶部１０２は、ＲＡＭ（Ｒａｎｄｏｍ  Ａｃｃｅｓｓ  Ｍｅｍｏｒｙ）やＲＯＭ（Ｒｅａｄ  Ｏｎｌｙ  Ｍｅｍｏｒｙ）を備え、種々の情報を記憶する。例えば、記憶部１０２は接続情報を記憶する。
【００２２】
通信部１０３は、無線ルータ３を介してピンパッド２または決済処理サーバ４と無線通信する。表示部１０４は、液晶ディスプレイ（ＬＣＤ、Ｌｉｑｕｉｄ  Ｃｒｙｓｔａｌ  Ｄｉｓｐｌａｙ）や有機ＥＬ（Ｅｌｅｃｔｒｏ−Ｌｕｍｉｎｅｓｃｅｎｃｅ）ディスプレイ等であり、様々な情報を表示する。入力部１０５は、各種ボタンや表示部１０４上に配置されたタッチパネル等であり、操作者等からの入力を受け付ける。スピーカ部１０６は、音声を出力するスピーカである。
【００２３】
次に、ピンパッド２について説明する。図３は、本実施形態におけるピンパッド２の構成を示すブロック図である。図示するように、ピンパッド２は、制御部２０１と、記憶部２０２と、通信部２０３と、カード読取部２０４と、表示部２０５と、入力部２０６と、スピーカ部２０７と、プリンタ部２０８とを備える。
【００２４】
制御部２０１は、ＣＰＵを備え、ピンパッド２全体を制御する。記憶部２０２は、ＲＡＭやＲＯＭを備え、種々の情報を記憶する。例えば、記憶部２０２は、自装置の個体識別番号と、自装置のＩＰアドレスと、接続する無線ルータ３のＳＳＩＤとを記憶する。通信部２０３は、無線ルータ３を介してスマートデバイス１と無線通信する。カード読取部２０４は、カードからカード情報を読み取るカードリーダである。表示部２０５は、液晶ディスプレイや有機ＥＬディスプレイ等であり、様々な情報を表示する。入力部２０６は、各種ボタンや表示部２０５上に配置されたタッチパネル等であり、暗証番号等の入力を受け付ける。スピーカ部２０７は、音声を出力するスピーカである。プリンタ部２０８は、用紙に印字して伝票を発行する印字装置である。
【００２５】
次に、無線ルータ３について説明する。図４は、本実施形態における無線ルータ３の構成を示すブロック図である。図示するように、無線ルータ３は、制御部３０１と、記憶部３０２と、通信部３０３とを備える。
【００２６】
制御部３０１は、ＣＰＵを備え、無線ルータ３全体を制御する。記憶部３０２は、ＲＡＭやＲＯＭを備え、種々の情報を記憶する。例えば、記憶部３０２は、自装置の個体識別番号と、自装置のＳＳＩＤとを記憶する。通信部３０３は、スマートデバイス１、ピンパッド２または決済処理サーバ４と無線通信して装置間の通信を中継する。また、制御部３０１は、自装置の固体識別番号を、通信部３０３を介して、決済処理サーバ４に送信する。
【００２７】
次に、決済処理サーバ４について説明する。図５は、本実施形態における決済処理サーバ４の構成を示すブロック図である。図示するように、決済処理サーバ４は、通信部４０１と、決済端末認証部４０２と、決済情報管理部４０３と、決済端末メンテナンス部４０４と、カード決済サービスセンタ中継部４０５と、構成データ管理部４０６と、記憶部４０７と、構成データ送信部４０８とを備える。
【００２８】
通信部４０１は、無線ルータ３を介してスマートデバイス１と通信する。決済端末認証部４０２は、ＩＤやパスワード等を用いてスマートデバイス１を認証する。決済情報管理部４０３は、スマートデバイス１から受信した決済処理情報に基づいて決済処理を実行する。決済端末メンテナンス部４０４は、決済処理サーバ４にアクセスするスマートデバイス１のメンテナンスを行う。例えば、決済端末メンテナンス部４０４は、メンテナンスとして、不正操作したスマートデバイス１を一時的に利用不可にする。カード決済サービスセンタ中継部４０５は、クレジットカード会社等のサーバ装置と接続してカードによる決済処理を実行する。
【００２９】
構成データ管理部４０６は、スマートデバイス１とピンパッド２との接続関係を管理する。例えば、構成データ管理部４０６は、複数あるスマートデバイス１それぞれから接続情報を受信し、受信した接続情報に基づいて、各スマートデバイス１と各ピンパッド２との接続関係を示すネットワーク構成テーブルを生成する。そして、構成データ管理部４０６は、生成したネットワーク構成テーブルを記憶部４０７に書き込んで記憶する。また、構成データ管理部４０６は、既にネットワーク構成テーブルが生成されている場合には、スマートデバイス１から接続情報を受信すると、受信した接続情報に基づいてネットワーク構成テーブルを更新する。
【００３０】
記憶部４０７は、ネットワーク構成テーブル等の種々の情報を記憶する。構成データ送信部４０８は、スマートデバイス１からネットワーク構成データ要求を受信すると、当該ネットワーク構成データ要求が経由した無線ルータ３に該当するネットワーク構成データを記憶部４０７が記憶するネットワーク構成テーブルから抽出し、抽出したネットワーク構成データをスマートデバイス１に返信する。このネットワーク構成データは、ネットワーク構成テーブルにあるデータのうち、少なくとも送信先のスマートデバイス１の存在するネットワーク内でのスマートデバイス１とピンパッド２との接続関係を示す部分である。
【００３１】
次に、本実施形態による決済処理システムＳ１における動作を説明する。図６は、本実施形態における決済処理システムＳ１の動作を説明するための図である。スマートデバイス１は、複数あるピンパッド２のうち予め設定された１台のピンパッド２と接続して決済に関する処理を実行する。まず、スマートデバイス１は、決済情報の入力を受け付ける。続いて、スマートデバイス１は、接続するピンパッド２にカード情報の読み取りを要求する読取要求データを送信する。ピンパッド２は、スマートデバイス１から読取要求データを受信すると、カードからカード情報を読み取り、読み取ったカード情報をスマートデバイス１に送信する。スマートデバイス１は、カード情報と決済情報とを含む決済処理情報を決済処理サーバ４に送信する。決済処理サーバ４は、スマートデバイス１から決済処理情報を受信すると、受信した決済処理情報に基づいて決済処理を実行し、当該決済処理の結果をスマートデバイス１に返信する。スマートデバイス１は、決済処理サーバ４から受信した決済処理の結果を表示する。
【００３２】
ところで、スマートデバイス１は予め設定されている１台のピンパッド２と接続するため、操作者が携帯しているスマートデバイス１とピンパッド２との組み合わせが合っていない場合には、決済処理を実行することができない。そのため、本実施形態における決済処理サーバ４は、スマートデバイス１とピンパッド２との組み合わせを示すネットワーク構成データを記憶管理している。そして、各スマートデバイス１は、決済処理サーバ４にネットワーク構成データ要求を送信して決済処理サーバ４からネットワーク構成データを受信し、受信したネットワーク構成データに基づくネットワーク構成図を表示する。これにより、スマートデバイス１において、スマートデバイス１とピンパッド２との組み合わせを確認することができる。
【００３３】
まず、スマートデバイス１とピンパッド２との組み合わせを示すネットワーク構成テーブルを生成する動作について説明する。スマートデバイス１は、予め自装置のＩＰアドレスと、接続するピンパッド２のＩＰアドレスと、接続する無線ルータ３のＳＳＩＤとを記憶している。また、ピンパッド２は、自装置の個体識別番号と、自装置のＩＰアドレスと、接続する無線ルータ３のＳＳＩＤを記憶している。また、無線ルータ３は、自装置の個体識別番号と、自装置のＳＳＩＤとを記憶している。なお、スマートデバイス１は、接続情報にスマートデバイス１の個体識別番号が含まれる場合には、自装置の個体識別番号も予め記憶している。
【００３４】
初めに、スマートデバイス１は、接続したピンパッド２に個体識別番号を要求してピンパッド２から個体識別番号を取得する。続いて、スマートデバイス１は、無線ルータ３を介して、自装置のＩＰアドレスと、接続するピンパッド２のＩＰアドレスと、当該ピンパッド２の個体識別番号と、接続する無線ルータ３のＳＳＩＤとを含む接続情報を決済処理サーバ４に送信する。無線ルータ３は、スマートデバイス１から受信した接続情報に自装置の個体識別番号を付加して決済サーバ４に送信する。決済処理サーバ４は、各スマートデバイス１から取得した接続情報に基づいてネットワーク構成テーブルを生成し、生成したネットワーク構成テーブルを記憶する。
【００３５】
図７は、本実施形態における決済処理サーバ４が記憶するネットワーク構成テーブルのデータ構成及びデータ例を示す概略図である。図示するように、ネットワーク構成テーブルは、無線ルータ個体識別番号と、無線ルータＳＳＩＤと、スマートデバイスＩＰアドレスと、ピンパッド個体識別情報と、ピンパッドＩＰアドレスとの項目を有する。無線ルータ個体識別番号は、スマートデバイス１が接続する無線ルータ３の個体識別番号である。無線ルータＳＳＩＤは、スマートデバイス１が接続する無線ルータ３のＳＳＩＤである。スマートデバイスＩＰアドレスは、スマートデバイス１のＩＰアドレスである。ピンパッド個体識別番号は、スマートデバイス１が接続するピンパッドの個体識別番号である。ピンパッドＩＰアドレスは、スマートデバイス１が接続するピンパッドのＩＰアドレスである。ネットワーク構成テーブルにおける各行が、ネットワーク構成データである。なお、スマートデバイス１から決済処理サーバ４に送信された接続情報にスマートデバイス１の固体識別番号が含まれている場合には、ネットワーク構成テーブルは、スマートデバイスの固体識別番号を含んでもよい。
【００３６】
図示する例では、ネットワーク構成テーブルの１行目は、無線ルータ個体識別番号が０９００００００００１であり、無線ルータＳＳＩＤがＳＳＩＤ０００１であり、スマートデバイスＩＰアドレスが１９２．１６８．２．１０１であり、ピンパッド個体識別番号が０２１００００１であり、ピンパッドＩＰアドレスが１９２．１６８．２．２０１である。また、２行目は、無線ルータ個体識別番号が０９００００００００１であり、無線ルータＳＳＩＤがＳＳＩＤ０００１であり、スマートデバイスＩＰアドレスが１９２．１６８.２．１０２であり、ピンパッド個体識別番号が０２１００００２であり、ピンパッドＩＰアドレスが１９２．１６８．２．２０２である。また、３行目は、無線ルータ個体識別番号が０９００００００００１であり、無線ルータＳＳＩＤがＳＳＩＤ０００１であり、スマートデバイスＩＰアドレスが１９２．１６８．２．１０３であり、ピンパッド個体識別番号が０２１００００３であり、ピンパッドＩＰアドレスが１９２．１６８．２．２０３である。また、４行目は、無線ルータ個体識別番号が０９００００００００２であり、無線ルータＳＳＩＤがＳＳＩＤ０００２であり、スマートデバイスＩＰアドレスが１９２．１６８．２．１０１であり、ピンパッド個体識別番号が０２１０００１１であり、ピンパッドＩＰアドレスが１９２．１６８．２．２０１である。また、５行目は、無線ルータ個体識別番号が０９００００００００３であり、無線ルータＳＳＩＤがＳＳＩＤ０００３であり、スマートデバイスＩＰアドレスが１９２．１６８．１．１０１であり、ピンパッド個体識別番号が０２１０００２１であり、ピンパッドＩＰアドレスが１９２．１６８．１．２０１である。
【００３７】
次に、スマートデバイス１においてネットワーク構成図を表示する動作について説明する。まず、操作者がスマートデバイス１においてネットワーク構成図を表示する操作を行う。スマートデバイス１は、無線ルータ３を介して、ネットワーク構成データ要求を決済処理サーバ４に送信する。決済処理サーバ４は、経由された無線ルータ３の個体識別番号に該当するネットワーク構成データをネットワーク構成テーブルから抽出し、抽出したネットワーク構成データをスマートデバイス１に返信する。スマートデバイス１は、決済処理サーバ４から受信したネットワーク構成データに基づいてネットワーク構成図を生成し、生成したネットワーク構成図を表示部１０４に表示する。
【００３８】
図８は、本実施形態におけるスマートデバイス１が表示するネットワーク構成図８００の一例を示す図である。図示するように、ネットワーク構成図８００には、スマートデバイス１が接続する無線ルータ３に関する情報８０１と、当該無線ルータ３に接続するスマートデバイス１に関する情報８０２−１〜８０２−３と、当該無線ルータ３に接続するピンパッド２に関する情報８０３−１〜８０３−３とが表示される。ピンパッド２に関する情報８０３−１〜８０３−３は、接続する各スマートデバイス１に関する情報８０２−１〜８０２−３に対応付けて表示される。このように、ピンパッド２に関する情報８０３−１〜８０３−３を接続する各スマートデバイス１に関する情報８０２−１〜８０２−３と対応付けて表示することにより、各ピンパッド２に接続するスマートデバイス１及びその台数を確認することができる。なお、ネットワーク構成テーブルにスマートデバイス１の固体識別番号を含む場合、ネットワーク構成図は、スマートデバイスの固体識別番号を含んでもよい。
【００３９】
また、ネットワーク構成図８００を表示するスマートデバイス１に関る情報８０２−１及び当該スマートデバイスと接続するピンパッド２に関する情報８０２−１は、他のデバイスに関する情報８０２−２，８０２−３，８０３−２，８０３−３と区別できるように表示されている。無線ルータ３に関する情報８０１には、無線ルータ３の個体識別番号と、ＳＳＩＤとが含まれる。また、スマートデバイス１に関する情報８０２−１〜８０２−３には、スマートデバイス１のＩＰアドレスが含まれる。また、ピンパッド２に関する情報８０３−１〜８０３−３には、ピンパッド２の個体識別番号とＩＰアドレスとが含まれる。
【００４０】
図示する例では、無線ルータ３の個体識別情報は０９００００００００１であり、ＳＳＩＤはＳＳＩＤ０００１である。また、ＩＰアドレス「１９２．１６８．２．１０１」のスマートデバイス１に関する情報８０２−１と、個体識別番号「０２１００００１」ＩＰアドレス「１９２．１６８．２．２０１」のピンパッド２に関する情報８０３−１とが対応付けられている。また、ＩＰアドレス「１９２．１６８．２．１０２」のスマートデバイス１に関する情報８０２−２と、個体識別番号「０２１００００２」ＩＰアドレス「１９２．１６８．２．２０２」のピンパッド２に関する情報８０３−２とが対応付けられている。また、ＩＰアドレス「１９２．１６８．２．１０３」のスマートデバイス１に関する情報８０２−３と、個体識別番号「０２１００００３」ＩＰアドレス「１９２．１６８．２．２０３」のピンパッド２に関する情報８０３−３とが対応付けられている。
【００４１】
図９は、本実施形態における決済処理システムＳ１の動作を示すシーケンス図である。本図には、決済処理サーバ４においてネットワーク構成テーブルを生成する場合における動作例を示す。
【００４２】
（ステップＳ１）スマートデバイス１が、接続するピンパッド２に個体識別番号を要求する個体識別番号要求を送信する。
（ステップＳ２）ピンパッド２は、個体識別番号要求を受信すると、自装置の個体識別番号をスマートデバイス１に返信する。
【００４３】
（ステップＳ３）スマートデバイス１は、自装置のＩＰアドレスと、接続するピンパッド２の個体識別番号及びＩＰアドレスと、接続する無線ルータ３のＳＳＩＤとを含む接続情報を、無線ルータ３を介して決済処理サーバ４に送信する。また、無線ルータ３は、スマートデバイス１から受信した接続情報に自装置の固体識別番号を付加して、決済処理サーバ４に送信する。
（ステップＳ４）決済処理サーバ４は、複数のスマートデバイス１それぞれから受信した接続情報に基づいてネットワーク構成テーブルを生成する。
【００４４】
図１０は、本実施形態における決済処理システムＳ１の動作を示すシーケンス図である。本図には、スマートデバイス１においてネットワーク構成図を表示する場合における動作例を示す。
【００４５】
（ステップＳ１０１）スマートデバイス１が、無線ルータ３を介して、ネットワーク構成データ要求を決済処理サーバ４に送信する。
（ステップＳ１０２）決済処理サーバ４は、ネットワーク構成データ要求を受信すると、当該ネットワーク構成データ要求が経由した無線ルータ３の個体識別番号に該当するネットワーク構成データをネットワーク構成テーブルから抽出し、抽出したネットワーク構成データをスマートデバイス１に返信する。
【００４６】
（ステップＳ１０３）スマートデバイス１は、決済処理サーバ４からネットワーク構成データを受信すると、受信したネットワーク構成データに基づいてネットワーク構成図を生成する。その後、ステップＳ１０４の処理に進む。
（ステップＳ１０４）スマートデバイス１は、生成したネットワーク構成図を表示部１０４に表示する。
【００４７】
図１１は、本実施形態における決済処理システムＳ１の動作を示すシーケンス図である。本図には、スマートデバイス１においてネットワーク構成図の表示後に、表示されたネットワーク構成図からスマートデバイス１が接続するピンパッド２を選択する場合の動作を示す。
【００４８】
（ステップＳ２０１）スマートデバイス１は、図１０に示す処理によりネットワーク構成図を表示部１０４に表示する。その後、ステップＳ２０２の処理に進む。
（ステップＳ２０２）スマートデバイス１は、接続するピンパッド２の入力を受け付ける。操作者は、ネットワーク構成図に表示されているピンパッド２から接続したいピンパッド２を選択して入力部１０５が備えるタッチパネル等により入力する。その後、ステップＳ２０３の処理に進む。
【００４９】
（ステップＳ２０３）スマートデバイス１は、ステップＳ２０２において選択されたピンパッド２のＩＰアドレスを自装置に設定して記憶する。その後、ステップＳ２０４の処理に進む。
（ステップＳ２０４）スマートデバイス１は、無線ルータ３を介して、自装置のＩＰアドレスと、接続するピンパッド２の個体識別番号及びＩＰアドレスと、接続する無線ルータ３のＳＳＩＤとを含む接続情報を決済処理サーバ４に送信する。また、無線ルータ３は、スマートデバイス１から受信した接続情報に自装置の固体識別番号を付加して、決済処理サーバ４に送信する。
（ステップＳ２０５）決済処理サーバ４は、接続情報を受信すると、受信した接続情報に基づいて、記憶しているネットワーク構成テーブルを更新する。
【００５０】
次に、既存の決済処理システムＳ１にスマートデバイス１を新たに追加したときの動作を説明する。まず、操作者が、スマートデバイス１を無線ルータ３と接続するように設定する。その後、スマートデバイス１は、図１０に示す処理により、ネットワーク構成図を表示部１０４に表示する。続いて、スマートデバイス１は、図１１に示す処理により、接続するピンパッド２を設定する。このように、操作者は、新たにスマートデバイス１を追加した場合であっても、簡単な操作でスマートデバイス１が接続するピンパッド２を設定することができる。
【００５１】
上述したとおり、本実施形態では、スマートデバイス１は、表示部１０４と、決済処理サーバ４と通信する通信部１０３と、自装置の固有情報と、接続するピンパッド２の固有情報とを含む接続情報を記憶する記憶部１０２と、記憶部１０２が記憶する接続情報を決済処理サーバ４へ送信する制御部１０１とを備え、制御部１０１は、ネットワーク構成データ要求を決済処理サーバ４へ送信してネットワーク構成データを決済処理サーバ４から受信し、受信したネットワーク構成データに基づいて、ネットワーク構成図を表示部１０４に表示する。決済処理サーバ４は、スマートデバイス１と通信する通信部４０１と、複数のスマートデバイス１それぞれから受信した接続情報に基づいて、ネットワーク構成テーブルを生成する構成データ管理部４０６と、構成データ管理部４０６が生成したネットワーク構成テーブルを記憶する記憶部４０７と、記憶部４０７が記憶するネットワーク構成データをスマートデバイス１に送信する構成データ送信部４０８とを備える。
【００５２】
これにより、スマートデバイス１を使用して決済を行う操作者が、使用するスマートデバイス１と接続するピンパッド２を容易に判別することができる。また、操作者は、１台のスマートデバイス１操作することで、他のスマートデバイス１とピンパッド２との接続関係を確認することができる。すなわち、ネットワーク全体におけるスマートデバイス１とピンパッド２との接続関係を容易に確認することができる。
【００５３】
また、決済処理システムＳ１の場合、スマートデバイス１は決済処理サーバ４と接続して決済処理を行う。決済処理情報は機密情報であるため、決済処理サーバ４と接続するためには、高度なセキュリティ機能を有する必要がある。従来知られている方法では、携帯端末と接続装置とが、サーバと接続するため、双方で高度なセキュリティ機能を有さなければならない。また、この機能を搭載するために各装置のコストが増化し、構成が複雑化してしまう。また、接続する機器が増加すると、サーバにおける機器管理業務も増加する。これに対し、本実施形態によれば、決済処理サーバ４と接続する機器をスマートデバイス１に限定しているため、ピンパッド２の構成を簡易化することができる。
【００５４】
また、本実施形態では、スマートデバイス１の制御部１０１は、表示部１０４に表示したネットワーク構成図から、複数のピンパッド２のうち自装置が接続するピンパッド２を選択する選択入力を入力部１０５から受け付ける。そのため、スマートデバイス１の接続するピンパッド２を容易に設定することができる。また、例えば、すべてのピンパッド２が他のスマートデバイス１と接続されている場合であっても、接続しているスマートデバイス１の台数を確認し、接続台数の少ないピンパッド２を選択することで、最短処理が可能となる。
【００５５】
また、従来知られている方法では、全体の接続関係を確認するには、使用する携帯端末全部を操作して１台１台確認する必要があるため、初期設置や１日の営業開始時に整理等行う場合は、１台１台電源投入し、夫々操作して、最新の接続関係を確認しなければならない。これに対し、本実施形態によれば、１台のスマートデバイス１を操作することで、すべての機器の接続関係が確認できるため、容易に初期設置や整理が可能となる。
【００５６】
また、従来知られている方法では、携帯端末は、接続先となる１台の接続装置の状態を確認することはできるが、接続装置が何台の携帯端末と接続しているかは確認できない。例えば、接続先に設定されていた接続装置が電源ＯＦＦ又は使用不能となり、他の接続装置と接続しようとした場合、他の接続装置のうちどれが早く処理可能になるかを確認することができない。特に、接続装置が決済端末に対して少ない場合、接続装置が他の決済端末に使用される可能性が高くなる。本実施形態によれば、ピンパッド２に接続されたスマートデバイス１の接続台数を確認できるため、最短処理が可能となる。
【００５７】
［第２の実施形態］ 
次に、本発明の第２の実施形態について説明する。例えば、フロアの広い店舗や、フロアが複数階にある店舗の場合、複数の無線ルータ３を設置することがある。このように、複数の無線ルータ３を設置することがあるが、従来知られている方法では、携帯端末が他の無線ルータのネットワーク内（アクセスポイント）に移動する場合について想定していない。例えば、そのアクセスポイントで接続可能な接続装置が、複数台の携帯端末に通常の接続先として設定されている状態で偶然使用可能となっている場合もある。これを解消するには、そのアクセスポイントに存在する携帯端末１台１台を操作して確認する必要がある。すなわち、従来知られている方法では、使用可能な接続装置を効率的に確認して選択することは難しい。そこで、本実施形態では、複数の無線ルータ３が存在する場合であって、スマートデバイス１を他の無線ルータ３のネットワークに移動させたときに、移動したスマートデバイス１に移動先のネットワーク構成図を表示して容易に接続するピンパッド２を選択できるようにした。
【００５８】
図１２は、本実施形態における決済処理システムＳ２の全体構成を示す図である。本実施形態では、複数の無線ルータ３がそれぞれ１つのネットワークを構成している。スマートデバイス１及びピンパッド２は、いずれかの無線ルータ３に接続する。他の構成は、第１の実施形態と同様であるため、その説明を省略する。
【００５９】
以下、説明の便宜を図るため、２台の無線ルータ３のそれぞれに対しＡ，Ｂの符号を割り当て、無線ルータ３Ａ、３Ｂと記す。なお、無線ルータ３Ａ、３Ｂに共通する事項については、Ａ，Ｂの符号を省略し、単に「無線ルータ３」又は「各無線ルータ３」と記す。
【００６０】
次に、本実施形態による決済処理システムＳ２における動作を説明する。ネットワーク構成テーブルを生成する動作、ネットワーク構成図を表示する動作、スマートデバイス１が接続するピンパッド２を選択する動作、及び、スマートデバイス１を新たに追加したときの動作等は、第１の実施形態と同様であるため、その説明を省略する。
【００６１】
図１３は、本実施形態における決済処理システムＳ２の動作を示すシーケンス図である。本図には、無線ルータ３Ａに接続していたスマートデバイス１を移動させて、無線ルータ３Ｂに接続させる場合の動作を示す。まず、操作者は、移動したスマートデバイス１において、移動先のネットワーク内の無線ルータ３Ｂと接続するよう設定する。
【００６２】
（ステップＳ３０１）スマートデバイス１が、無線ルータ３Ｂを介して、ネットワーク構成データ要求を決済処理サーバ４に送信する。
（ステップＳ３０２）決済処理サーバ４は、ネットワーク構成データ要求を受信すると、当該ネットワーク構成データ要求が経由した無線ルータ３Ｂの個体識別番号に該当するネットワーク構成データをネットワーク構成テーブルから抽出し、抽出したネットワーク構成データをスマートデバイス１に返信する。
【００６３】
（ステップＳ３０３）スマートデバイス１は、決済処理サーバ４からネットワーク構成データを受信すると、受信したネットワーク構成データに基づいてネットワーク構成図を生成する。その後、ステップＳ３０４の処理に進む。
（ステップＳ３０４）スマートデバイス１は、生成したネットワーク構成図を表示部１０４に表示する。その後、ステップＳ３０５の処理に進む。
【００６４】
（ステップＳ３０５）スマートデバイス１は、接続するピンパッド２の選択入力を受け付ける。操作者は、ネットワーク構成図に表示されているピンパッド２から接続したいピンパッド２を選択して入力部１０５が備えるタッチパネル等により入力する。その後、ステップＳ３０６の処理に進む。
【００６５】
（ステップＳ３０６）スマートデバイス１は、ステップＳ３０５において選択されたピンパッド２のＩＰアドレスを自装置に設定して記憶する。その後、ステップＳ３０７の処理に進む。
（ステップＳ３０７）スマートデバイス１は、無線ルータ３Ｂを介して、自装置のＩＰアドレスと、接続するピンパッド２の個体識別番号及びＩＰアドレスと、接続する無線ルータ３ＢのＳＳＩＤとを含む接続情報を決済処理サーバ４に送信する。また、無線ルータ３Ｂは、スマートデバイスから受信した接続情報に自装置の固体識別番号を付加して、決済処理サーバ４に送信する。
（ステップＳ３０８）決済処理サーバ４は、接続情報を受信すると、受信した接続情報に基づいて、記憶しているネットワーク構成テーブルを更新する。
【００６６】
上述したとおり、本実施形態では、第１の実施形態における構成に加えて、スマートデバイス１とピンパッド２とを接続する複数の無線ルータ３を備え、決済処理サーバ４の構成データ送信部４０８は、ネットワーク構成テーブルにあるネットワーク構成データのうち、少なくとも送信先のスマートデバイス１の存在するネットワーク内でのスマートデバイス１とピンパッド２との接続関係を示す部分を送信する。
【００６７】
これにより、本実施形態によれば、第１の実施形態における効果に加えて、複数の無線ルータ３が設置されている場合であって、スマートデバイス１を別の無線ルータ３のネットワークに移動した場合であっても、そのネットワーク内の接続関係をネットワーク構成図により確認することで、そのスマートデバイス１が、そのネットワーク内で接続できる最適なピンパッド２を選択することができる。
【００６８】
なお、上述した実施形態におけるスマートデバイス１または決済処理サーバ４が備える各部の機能全体あるいはその一部は、これらの機能を実現するためのプログラムをコンピュータ読み取り可能な記録媒体に記録して、この記録媒体に記録されたプログラムをコンピュータシステムに読み込ませ、実行することによって実現しても良い。なお、ここでいう「コンピュータシステム」とは、ＯＳや周辺機器等のハードウェアを含むものとする。
【００６９】
また、「コンピュータ読み取り可能な記録媒体」とは、フレキシブルディスク、光磁気ディスク、ＲＯＭ、ＣＤ−ＲＯＭ等の可搬媒体、コンピュータシステムに内蔵されるハードディスク等の記憶部のことをいう。さらに「コンピュータ読み取り可能な記録媒体」とは、インターネット等のネットワークや電話回線等の通信回線を介してプログラムを送信する場合の通信線のように、短時間の間、動的にプログラムを保持するもの、その場合のサーバやクライアントとなるコンピュータシステム内部の揮発性メモリのように、一定時間プログラムを保持しているものも含んでも良い。また上記プログラムは、前述した機能の一部を実現するためのものであっても良く、さらに前述した機能をコンピュータシステムにすでに記録されているプログラムとの組み合わせで実現できるものであっても良い。
【００７０】
以上、本発明の実施形態について説明したが、本発明は、上記実施形態に限定されるものではなく、本発明の趣旨を逸脱しない範囲において種々の変更を加えることが可能である。
【符号の説明】
【００７１】
Ｓ１，Ｓ２・・・決済処理システム、１・・・スマートデバイス、２・・・ピンパッド、３・・・無線ルータ、４・・・決済処理サーバ、１０１・・・制御部、１０２・・・記憶部、１０３・・通信部、１０４・・・表示部、１０５・・・入力部、１０６・・・スピーカ部、２０１・・・制御部、２０２・・・記憶部、２０３・・・通信部、２０４・・・カード読取部、２０５・・・表示部、２０６・・・入力部、２０７・・・スピーカ部、２０８・・プリンタ部、３０１・・・制御部、３０２・・・記憶部、３０３・・・通信部、４０１・・・通信部、４０２・・・決済端末認証部、４０３・・・決済情報管理部、４０４・・・決済端末メンテナンス部、４０５・・・カード決済サービスセンタ中継部、４０６・・・構成データ管理部、４０７・・・記憶部、４０８・・・構成データ送信部
【図１】
0006507443.tif 000002
【図２】
0006507443.tif 000003
【図３】
0006507443.tif 000004
【図４】
0006507443.tif 000005
【図５】
0006507443.tif 000006
【図６】
0006507443.tif 000007
【図７】
0006507443.tif 000008
【図８】
0006507443.tif 000009
【図９】
0006507443.tif 000010
【図１０】
0006507443.tif 000011
【図１１】
0006507443.tif 000012
【図１２】
0006507443.tif 000013
【図１３】
0006507443.tif 000014